(57)【要約】【課題】  撮影時に、被写体の視線を引きつける撮影装置を大掛かりな仕掛けを必要とすることなく、低コストで提供することを目的とする。【解決手段】  光透過性を備えたインジケータ３２を、充電完了表示部８の先端部８ａに取り付けてある。ストロボ装置２２の充電が完了すると、充電完了表示部８からの光を受けてインジケータ３２が発光する。被写体の視線をインジケータ３２に引き付けられるから、被写体の視線を捉えた撮影が行える。【選択図】        図４
2005283931.tif 000002
【特許請求の範囲】
【請求項１】
ストロボ装置の充電完了を発光して知らせる充電完了表示部を本体部に備えた撮影装置において、
前記本体部から外部に突出するように光透過性のインジケータを充電完了表示部の一部に着脱自在に取り付け、前記インジケータが充電完了表示部からの光を受けて発光し、かつ被写体側から目視されるようにしたことを特徴とする撮影装置。
【請求項２】
ストロボ装置の充電完了を発光して知らせる充電完了表示部を本体部に備えた撮影装置において、
光透過性のインジケータを所定のアダプタを介して本体部に着脱自在に取り付け、前記インジケータが充電完了表示部からの光を受けて発光し、かつ被写体側から目視されるようにしたことを特徴とする撮影装置。
【請求項３】
前記アダプタは、前記本体部を外側から挟み込むクリップ状をした弾性部材であることを特徴とする請求項２記載の撮影装置。
【請求項４】
前記アダプタは、前記本体部に設けられた凹部に係合する爪部を有し、この爪部によって本体部に係止されることを特徴とする請求項２記載の撮影装置。
【請求項５】
前記アダプタは、前記本体部を内部に収納するケースであることを特徴とする請求請２記載の撮影装置。
【請求項６】
ストロボ装置の充電完了を発光して知らせる充電完了表示部を設けた本体部に携帯用のストラップが取り付けられた撮影装置において、
前記ストラップには光透過性のインジケータが接続され、
前記本体部から外部に突出するように前記インジケータを充電完了表示部の一部に着脱自在に取り付け、前記インジケータが充電完了表示部からの光を受けて発光し、かつ被写体側から目視されるようにしたことを特徴とする撮影装置。
【発明の詳細な説明】
【技術分野】
【０００１】
本発明は、被写体の視線を引きつける撮影装置に関するものである。
【背景技術】
【０００２】
風景、人物、ペットなどを撮影する撮影装置として、レンズ付きフイルムユニット、カメラ、デジタルカメラなどが広く普及している。撮影装置に組み込まれた撮影レンズを被写体に向けてフレーミングを行い、シャッタボタンを押すことで撮影が行われる。中でも、人物やペットを被写体とするときには、撮影装置に被写体の視線を向けさせるために、撮影装置の近くで人形やぬいぐるみなどを大袈裟に動かしたり、声をかけるなどして撮影装置の近傍に被写体の関心を引かせていた。
【０００３】
ところが、赤ちゃんやペットなどを被写体とするときには、被写体が撮影装置を向けられている意図を理解していないために、撮影装置を見てくれず、撮影装置に被写体の視線を向けさせることは簡単なことではなかった。
【０００４】
また、スピーカーと、発光装置とを設けることで、被写体の視線を集める撮影装置が知られている（特許文献１参照）。
【０００５】
【特許文献１】特開２００３−０７８７９２号公報
【発明の開示】
【発明が解決しようとする課題】
【０００６】
ところが、人形やぬいぐるみを用いて、被写体の視線を撮影装置に向けさせるのは、仕掛けが大掛かりになるだけでなく、人形やぬいぐるみを動かしながら撮影を行うのは難しいために、撮影者の他に人形を動かす協力者が必要になる。また、上記特許文献１記載の撮影装置は、スピーカーや発光装置だけでなく、制御装置や電力も必要となり、撮影装置の大型化及びコストアップにつながる。
【０００７】
本発明は、大掛かりな仕掛けを必要とすることなく、被写体の視線を引きつける撮影装置を低コストで提供することを目的とする。
【課題を解決するための手段】
【０００８】
本発明では、光透過性を備えたインジケータを、ストロボ装置の充電が完了した時に発光する充電完了表示部からの光を受けて発光し、かつ撮影レンズを向けられた被写体が目視できるように、充電完了表示部に着脱自在に取り付け、充電完了表示部からの光を受けて発光するインジケータに被写体の視線を引きつけることで、被写体の視線を撮影装置側に向けさせる。
【０００９】
また、インジケータをアダプタを介して、充電完了表示部からの光を受けて発光し、かつ撮影レンズを向けられた被写体が目視できるように撮影装置に取り付け、充電完了表示部からの光を受けて発光するインジケータに被写体の視線を引きつけることで、被写体の視線を撮影装置側に向けさせてもよい。
【００１０】
前記アダプタは、前記本体部を外側から挟み込むクリップ状をした弾性部材である。
【００１１】
また、前記アダプタは、前記本体部に設けられた凹部に係合する爪部を有し、この爪部によって本体部に係止するものでもよい。
【００１２】
また、前記アダプタは、前記本体部を内部に収納するケースであってもよい。
【００１３】
本体部に取り付けられるストラップに、光透過性を備えたインジケータを設ける。このインジケータをストロボ装置の充電が完了した時に発光する充電完了表示部からの光を受けて発光し、かつ撮影レンズを向けられた被写体が目視できるように、充電完了表示部に着脱自在に取り付け、充電完了表示部からの光を受けて発光するインジケータに被写体の視線を引きつけることで、被写体の視線を撮影装置側に向けさせる。
【発明の効果】
【００１４】
本発明によれば、撮影装置にインジケータを取り付け、充電完了表示部からの光を受けて発光するインジケータに被写体の視線を向けさせることで、シンプルかつ低コストで被写体の視線を撮影装置側に向けさせることができる。これにより、被写体の視線が撮影レンズと向かい合った状態で撮影が行える。
【００１５】
また、アダプタを介してインジケータを撮影装置に取り付けることで、様々な形状をした撮影装置にもインジケータを取り付けることができる。前記アダプタとしては、クリップ状の弾性部材を用いると、簡単にインジケータを着脱自在に取り付けることができる。このアダプタは、外装ラベルの代わりになるので、外装ラベルを省略できる。また、爪部によって取り付けても簡単にインジケータを着脱自在に取り付けることができる。また、本体部を収納するケースとすると、キャリングケースとして使える。
【００１６】
また、本体部に取り付けられるストラップに、インジケータを接続することで、インジケータの持ち運びが容易になるだけでなく、飾りにもなる。
【発明を実施するための最良の形態】
【００１７】
本発明の実施形態を示す図１において、撮影装置としてのレンズ付きフイルムユニット２は、予め写真フイルムカートリッジ３（図２参照）が装填され、各種撮影機構が組み込まれたユニット本体４と、このユニット本体４を部分的に覆う外装ラベル５とから構成されている。
【００１８】
ユニット本体４の上面には、カウンタ窓６，シャッタボタン７、充電完了表示部８が、前面には撮影レンズ９，ストロボ発光部１０，スライド式の充電スイッチ１１，ファインダ１２が、背面側には１コマの撮影毎に回動操作される巻上げノブ１３が、それぞれ露呈されている。
【００１９】
外装ラベル５は、裏面に接着剤が塗布された帯状の紙片であり、ユニット本体４の中央部分に巻かれるように貼付される。外装ラベル５には、撮影レンズ９やファインダ１２，カウンタ窓６等を外部に露呈させる開口が形成されており、レンズ付きフイルムユニット２の使用方法や使用上の注意事項等が印刷されている。
【００２０】
充電完了表示部８は、ユニット本体４の上面から先端部８ａが突出して設けられている。充電スイッチ１１を上方にスライドすると、ストロボ発光部１０を発光させるための充電が行われ、この充電が完了すると、後述する回路基板２６に組み込まれたＬＥＤが点灯する。充電完了表示部８は、光透過性を有する透明な樹脂からなるライトガイドであり、ＬＥＤからの光を導いて、ユニット本体４の上面から突出した先端部８ａが発光する。これにより、ユーザーは、ストロボ発光部１０の発光準備が完了したことを知ることができる。
【００２１】
図２は、ユニット本体４の分解斜視図である。ユニット本体４は、カートリッジ本体１６、ロール状に巻いた写真フイルム１７をそれぞれ収納するカートリッジ室１８、フイルム室１９が形成されたプラスチック製の本体基部２０と、本体基部２０の前面側にそれぞれ組み付けられる露光ユニット２１及びストロボ装置２２と、本体基部２０の前面、背面にそれぞれ被せられるプラスチック製の前カバー２３、後カバー２４とから構成されている。
【００２２】
カートリッジ室１８とフイルム室１９との間には、撮影レンズ９を通った被写体光を透過させ、１コマの露光範囲を画定するアパーチャーが形成されている。露光ユニット２１は、シャッタ機構、フイルムカウンタ機構、フイルム巻き止め機構など、写真撮影に必要な部材を組み合わせたもので、本体基部２０に対して爪結合により着脱自在に組み付けられている。
【００２３】
カートリッジ室１８の上部に巻上げノブ１３が組み付けられ、これを回動操作することによってフイルム巻き上げを行うことができ、フイルムの給送に連動してカウンタ窓６の下でフイルムカウンタ円板が１歩進する。１コマ分のフイルム給送が行われた時点でフイルム巻き止め機構が作動し、巻上げノブ１３がロックされる。
【００２４】
また、巻上げノブ１３を回動操作するフイルム巻き上げ中に、シャッタ機構によりシャッタチャージが行われる。シャッタボタン７を押すことによってシャッタ羽根が開閉して一回の露光が行われ、巻上げノブ１３に対するロックが解除される。そして、上記フイルム巻き上げ操作とシャッタボタン７の押圧操作とを繰り返すことによって、露光済の写真フイルム１７がカートリッジ本体１６に巻き込まれてゆく。
【００２５】
ストロボ装置２２は、回路基板２６，ストロボ発光部１０，乾電池２７とからなる。回路基板２６の下部には、正極接片２８ａと負極接片２８ｂとからなる電池ホルダ２８が設けられ、ここにストロボ装置２２の電源を成す乾電池２７が取り付けられる。回路基板２６の背面上部には、充電用のコンデンサ２９が設けられ、規定レベルまで充電されると、回路基板２６に組み込まれたＬＥＤ（図示せず）が点灯する。このＬＥＤからの光は充電完了表示部８の中を伝って、先端部８ａが発光するから、ストロボ装置２２の充電が完了したことが分かる。
【００２６】
なお、回路基板２６の端部には、撮影機構のシャッタ羽根（図示せず）の動作に連動して開閉するシンクロスイッチ３０が設けられている。ＬＥＤ点灯時に、シャッタボタン７を押圧してシャッタレリーズを行うと、シャッタ羽根が開放した瞬間にシンクロスイッチ３０がオンし、ストロボ発光部１０から被写体に向かってストロボ光が照射される。
【００２７】
前記充電完了部８の先端部８ａには、図３に示すインジケータ３２が着脱自在に取り付けられる。インジケータ３２は、光透過性を有する樹脂から形成され、アニマルキャラクタの形状をしている。インジケータ３２の下部には、前記先端部８ａと嵌合される凹部３２ａが形成されている。充電完了表示部８の先端部８ａに、インジケータ３２の凹部３２ａを嵌め込むことで、図４に示すようにレンズ付きフイルムユニット２にインジケータ３２を取り付けることができる。このインジケータ３２は、充電完了表示部８からの光を受けて発光する。
【００２８】
次に、上記実施形態の作用について説明する。まず、フイルムユニット本体４から突出した充電完了表示部８の先端部８ａにインジケータ３２の凹部３２ａを嵌め込むことにより、図４に示すように、インジケータ３２を充電完了表示部８にとりつける。次に、巻上げノブ１３をフイルム巻き上げ方向に回転して写真フイルム１７を巻き上げる。この操作により写真フイルム１７が移送される。次に、撮影レンズ９を被写体に向けてフレーミングを行い、充電スイッチ１１を上方にスライドさせる。この後、コンデンサ２９に電荷が蓄積され、ストロボ発光部１０の発光の準備が整うと、回路基板２６に組み込まれたＬＥＤが点灯して充電完了表示部８に取り付けたインジケータ３２が発光し、撮影者はストロボ発光部１０の発光準備ができたことを認識する。
【００２９】
インジケータ３２が発光したとき、被写体の視線がインジケータ３２に引きつけられ、レンズ付きフイルムユニット２を見る。このとき、シャッタボタン７を押圧すると、被写体の視線が撮影レンズ９と向き合った状態で撮影を行うことができる。シャッタボタン７を押圧すると、ストロボ発光部１０から被写体に向かってストロボ光が照射され、ほぼ同時に、シャッタ機構が作動して撮影レンズ５を通った被写体光がシャッタ開口を通り、アパーチャーにセットされた写真フイルム１７に入射して露光が行われる。露光完了後には、フイルム巻き止め機構のロックが解除され、次のフイルム巻き上げ及びシャッタチャージが可能となる。シャッタボタン７を押圧した直後には、ストロボ発光部１０の発光準備が行われるためにインジケータ３２が発光しなくなるが、ストロボ発光部１０の発光準備が完了すると回路基板２６に組み込まれたＬＥＤが再点灯してインジケータ３２が再び発光する。
【００３０】
撮影終了後に、充電スイッチ１１を下方にスライドすると、ストロボ発光部１０の発光準備が中断され、回路基板２６に組み込まれたＬＥＤが点灯しなくなり、充電完了表示部８及びインジケータ３２が発光しなくなる。
【００３１】
上記実施形態に用いたインジケータは、アニマルキャラクタの形状をしているので、被写体の和やかな表情が撮影時に期待できる。特に、被写体が子供の場合に効果的である。レンズ付きフイルムユニット２は現像のために返却してしまうため手元に残らないが、インジケータ３２は、撮影装置から着脱可能なので、手元に残すことができる。インジケータ３２は光透過性を備えていればよく、素材は上記実施形態に用いた樹脂に限らず、光透過性を備えたシリコンゴム、スチレン系エストラマー、ガラスなどでもよい。また、光透過性を有する素材に、光を反射・拡散するラメなどを配合してインジケータ３２を構成してもよい。
【００３２】
上記実施形態では、インジケータをレンズ付きフイルムユニットの充電完了表示部に直に取り付けていたが、図５に示すように、アダプタを介してレンズ付きフイルムのユニット本体部に取り付けることもできる。レンズ付きフイルムユニット３３のユニット本体３４に取り付けられたアダプタ３６は、弾性を有する樹脂で成型され、一対の腕部３６ａ，３６ｂによってユニット本体３４を前後から挟み込むクリップ状をしている。なお、本実施形態では、上記実施形態と同じ部材には同じ符号を付して説明を省略する。
【００３３】
アダプタ３６をユニット本体３４に取り付けた際に、ユニット本体３４の上部を覆うアダプタ３６の中央部３６ｃには、カウンタ窓６を露呈する開口３６ｄの他に、インジケータ３７を着脱自在に取り付ける取付部３８が設けられている。なお、アダプタ３６は、外装ラベル５の代わりになるので、外装ラベル５を省略できる。
【００３４】
前記取付部３８は、中央部３６ｃにＨ字状の切り込みを入れ、一対の扉片３８ａ，３８ｂを斜めに開くことにより、充電完了表示部８の先端部８ａが露呈される開口３６ｅを形成したものである。そして、インジケータ３７を矢印方向に押し込むことにより、インジケータ３７の下方部に形成された傾斜面をしたスカート部３７ａ，３７ｂが扉片３８ａ，３８ｂの内面に当接して、インジケータ３７が取付部３８に取り付けられる。
【００３５】
インジケータ３７を取付部３８に取り付けた後、カウンタ窓６, 撮影レンズ９，ファインダ１２がアダプタ３６に形成された穴から露呈するように、一対の腕部３６ａ，３６ｂでユニット本体４を挟み込むことで、図５（ｂ）のように、インジケータ３７が取付けられたアダプタ３６がレンズ付きフイルムユニット３３に取付けられる。
【００３６】
図６に示すアダプタ４１は、弾性を有する樹脂で形成され、コの字形状をしている。アダプタ４１には、爪部４１ａと摺接面４１ｂとが形成されている。爪部４１ａをユニット本体３４前面のファインダ１２の窪みに係止させ、摺接面４１ｂをユニット本体３４の背面に摺接させることで、アダプタ４１がレンズ付きフイルムユニット３３に取り付けられる。なお、本実施形態では、上記実施形態と同じ部材には同じ符号を付して説明を省略する。
【００３７】
ユニット本体３４の上部を覆うアダプタ４１の中央部４１ｃには、インジケータ４２を着脱自在に取り付ける取付部４３が設けられている。この取付部４３は一対の係止爪４３ａ，４３ｂからなる。インジケータ４２の下部には、係止爪４３ａ，４３ｂにそれぞれ嵌合される係止穴が形成されている。この係止穴を係止爪４３ａ，４３ｂに嵌合させることで、インジケータ４２が取付部４３に取り付けられる。
【００３８】
図７に示すアダプタ４５は、レンズ付きフイルムユニット３３が収納される箱状をしたケースである。このアダプタ４５は、レンズ付きフイルムユニット３３の前部を覆う前ケース４６と、レンズ付きフイルムユニット３３の後部を覆う後ケース４７とからなり、これらは、ヒンジ部４８を介して開閉自在にされ、レンズ付きフイルムユニット３３を収納した後、図示しないロック部材によって閉じられる。なお、本実施形態では、上記実施形態と同じ部材には同じ符号を付して説明を省略する。
【００３９】
前記アダプタ４５には、充電完了表示部８の先端部８ａが遊挿される開口５０と、カウンタ窓６，シャッタボタン７、撮影レンズ９，ストロボ発光部１０，スライド式の充電スイッチ１１、ファインダ１２、巻上げノブ１３を露呈する開口４６ａ〜４６ｆ，４７ａ〜４７ｃが形成されており、内部にレンズ付きフイルムユニット３３を収納した状態で撮影が行える。また、アダプタ４５のヒンジ部４８近傍には、平紐状のストラップ５１が取り付けられており、アダプタ４５をキャリングケースとして用いることができる。なお、開口５０は、前ケース４６に形成されている。
【００４０】
アダプタ４５には、インジケータ５２が開口５０を塞ぐように設けられている。これにより、インジケータ５２は充電完了表示部８の先端部８ａからの光を受けて発光する。
【００４１】
本発明に用いられるアダプタは、撮影装置に着脱自在であればよく、インジケータと一体であっても、着脱自在であってもよい。
【００４２】
図８に示すレンズ付きフイルムユニット５５は、ユニット本体５７に着脱自在なストラップ５９が取り付けられる。ストラップ５９は、把持部６０と、紐部６１と、把持部６０と紐部６１を連結させるジョイント部６２と、後述するアクセサリー部６５とからなり、紐部６１とユニット本体５７に形成されたストラップ取付部５７ａとを連結させることでユニット本体５７に取り付けられる。
【００４３】
ジョイント部６２には、アクセサリー部６５が取り付けられる取付部６２ａが形成されている。アクセサリー部６５は、光透過性及び弾性を備えたシリコンゴムからなるインジケータ７０と、取付具７１と、インジケータ７０と取付具７１を連結させる連結具７２とからなる。取付具７１は、ボールチェーン７１ａの両端を連結金具７１ｂで繋いで輪状にしたものである。連結金具７１ｂに繋がれた一方のボールチェーン７１ａの端を係脱することにより、ジョイント部６２から着脱することができる。なお、本実施形態では、上記実施形態と同じ部材には同じ符号を付して説明を省略する。
【００４４】
インジケータ７０の下部には、前記先端部８ａと嵌合される凹部７０ａが形成されている。充電完了表示部８の先端部８ａに、インジケータ７０の凹部７０ａを嵌め込むことで、レンズ付きフイルムユニット５５にインジケータ７０を取り付けることができる。また、取付具７１は、インジケータ７０をレンズ付きフイルムユニット５５に取り付けたときに撮影レンズを通る被写体光の範囲に入りこまない長さになっている。
【００４５】
インジケータ７０は、充電完了表示部８からの光を受けて発光することができる。インジケータ７０が発光したとき、被写体の視線がインジケータ７０に引きつけられ、レンズ付きフイルムユニット５５を見る。このとき、シャッタボタン７を押圧すると、被写体の視線が撮影レンズ９と向き合った状態で撮影を行うことができる。インジケータ７０をユニット本体５７に取り付けられるストラップ５９に一体に設けたことで、インジケータ７０の持ち運びが容易になり、また、飾りにもなる。
【００４６】
上記実施形態では、充電完了表示部の先端部は、ユニット本体から突出したままとしたが、ユニット本体から突出していなくてもよく、また、ストロボを使用しない時には先端部がユニット本体の輪郭内に収納されており、充電スイッチを上方へスライドさせることに連動してユニット本体から突出するようにしてもよい。
【００４７】
本発明を用いることができる撮影装置は、レンズ付きフイルムユニットだけでなく、ストロボ発光部の発光準備が完了したことを充電完了表示部の発光により認識できる撮影装置であれば、カメラ、デジタルカメラなどでもよい。
【図面の簡単な説明】
【００４８】
【図１】レンズ付フイルムユニットの外観斜視図である。
【図２】レンズ付フイルムユニットの分解斜視図である。
【図３】インジケータを示す外観斜視図である。
【図４】インジケータをレンズ付きフイルムユニットに取り付けた状態を示す斜視図である。
【図５】クリップ状のアダプタを示す説明図である。
【図６】コの字形状のアダプタを示す説明図である。
【図７】箱状をしたアダプタを示す説明図である。
【図８】ストラップに接続されたインジケータを示す説明図である。
【符号の説明】
【００４９】
２，３３、５５  レンズ付きフイルムユニット
８  充電完了表示部
８ａ  先端部
１０  ストロボ発光部
３２，３７，４２，５２、７０  インジケータ
３２ａ、７０ａ  凹部
３６，４１，４５  アダプタ
３６ａ，３６ｂ  腕部
３７ａ，３７ｂ  スカート部
３８，４３  取付部
４１ａ  爪部
４１ｂ  摺接面
４６    前ケース
４７    後ケース
５０  開口
５９      ストラップ
６５アクセサリー部
【図１】
2005283931.tif 000003
【図２】
2005283931.tif 000004
【図３】
2005283931.tif 000005
【図４】
2005283931.tif 000006
【図５】
2005283931.tif 000007
【図６】
2005283931.tif 000008
【図７】
2005283931.tif 000009
【図８】
2005283931.tif 000010